(57)【要約】【課題】プールに昇降可能に設置されるプール床において、プール床上を水中歩行したり、プール床に足を付けて泳ぎ出すときの滑り止めが行えるようにすると共に、タイルで内張りされたプールに設置したときのタイルとの違和感をなくす。【解決手段】プール床を構成する床材１１の表面に目地状の溝１２及び１３を形成し、溝１２及び１３で囲まれる部分をプールに内張りされるタイルと同サイズとする。【選択図】図４
2005273355.tif 000002
【特許請求の範囲】
【請求項１】
フレームと、該フレーム上に並設される長尺の樹脂製床材よりなり、プールに昇降可能に設置されるプール床において、上記床材には表面に滑り止め手段が成形時に形成されることを特徴とするプール床。
【請求項２】
フレームと、該フレーム上に並設される長尺の樹脂製床材からなり、少なくともプール内壁をタイルで内張りしたプールに昇降可能に設置されるプール床において、上記床材は表面にタイル目地状の溝が形成されることを特徴とする請求項１記載のプール床。
【請求項３】
上記床材が基層とその表層部からなって、溝が表層部に形成され、溝底が基層となることを特徴とする請求項２記載のプール床。
【発明の詳細な説明】
【技術分野】
【０００１】
本発明は、プールに昇降可能に設置されるプール床に関する。
【背景技術】
【０００２】
図１は、プール床１の一例を示すもので、図２は図１のａ部の拡大図、図３は図２のＡ−Ａ線断面図である。
【０００３】
図１に示すプール床１は、断面が溝形状をなすフレーム２を並設し、その上に図２に示すように長尺の床材３をフレーム２と直交して一定の間隙Ｃを存して並べ、フレーム２に取付けてなるもので、床材３は多くの場合、樹脂製で、図３に示すように左右対象形をなし、内部を縦リブ４で仕切って複数の空気室５を形成し、これによりプール床１に浮力を持たせるようにしており、両側の室６は下面中央に溝７を床材３の長手方向に形成し、室６に通したボルト８とナット９で室６の下面とフレーム２の上部フランジを挟み込んで連結していた。
【発明の開示】
【発明が解決しようとする課題】
【０００４】
プール床の床材は、上述するように多くの場合樹脂製であるが、こうした床材では水中でプール床上を歩行するとき、或いはプール床に足をつけて泳ぎ出す際に、スリップしがちである。スリップ防止のため床材に滑り止めのため、砂入りの塗装材を塗布したものが知られているが、こうした塗装材は使用により剥離しがちである。
【０００５】
プールにはまた床面や内壁にタイルを内張りしたものが知られる。こうしたプールでは、プールとの調和のためプール床にタイル貼りすることが望まれるが、プール床にタイル貼りするのは、プール床の重量が嵩むうえ、何よりもプール床のコストアップを招く。
【０００６】
本発明は、水中でプールに昇降可能に設置されるプール床の上を歩行したり、プール床に足をつけて泳ぎ出す時の滑り止めとしての機能を果たすプール床を提供することを第１の目的とし、タイルが内張りされたプールと調和するプール床を提供することを第２の目的とする。
【課題を解決するための手段】
【０００７】
請求項１に係る発明は、第１の目的を達成するプール床に関するもので、フレームと、該フレーム上に並設される長尺の樹脂製床材よりなり、プールに昇降可能に設置されるプール床において、上記床材には表面に滑り止め手段が成形時に形成されることを特徴とする。
【０００８】
ここで滑り止め手段としては、例えば床材を二層構造として表層部を例えばゴム材のように摩擦係数の大なる材質としたもの、イボイボ状の突起、刻み目、凹凸加工、ローレット加工したものなどを挙げることができる。
【０００９】
こうした滑り止め手段は、床材を例えば二層構造とする場合、材質の異なる樹脂を同時押出しによって形成することができ、突起、刻み目、凹凸、ローレット加工の場合、押出直後の床材に、例えば表面に刻み目、凹凸或いはローレット模様を施したローラを転圧させることによって形成することができる。
【００１０】
請求項２に係る発明は、第２の目的を達成するプール床に関するもので、フレームと、該フレーム上に並設される長尺の樹脂製床材からなり、少なくともプール内壁をタイルで内張りしたプールに昇降可能に設置されるプール床において、上記床材は表面にタイル目地状の溝が形成されることを特徴とし、請求項３に係わる発明は、請求項２に係る発明において、上記床材が基層とその表層部からなって、溝が表層部に形成され、溝底が基層となることを特徴とする。
【発明の効果】
【００１１】
請求項１に係る発明によると、水中でプール床上を歩行したり、プール床に足をつけて泳ぎ出すときのスリップが防止され、水中での歩行や泳ぎ出しが容易となる。また、滑り止め手段は成形時に形成され、そのための特別な工程を要しないからコストアップを招くことはないし、使用による損耗が少なく、長期に亘って使用することができる。
【００１２】
請求項２に係る発明によると、プール床に目地状の溝が形成されることによって、プール床がタイル貼りのプールに調和し、プール床とプールとの違和感を解消することができる。
請求項３に係る発明によると、基層を表層部とは異なる色、例えば白色に着色することによって溝が目地状を呈するようになり、プール床がタイル貼りのプールに、より調和するようになる。
【発明を実施するための最良の形態】
【００１３】
以下、本発明の実施形態について図面により説明する。なお、図１〜図３に示す従来のプール床と同一構造のものは同一符号で示し、その説明を省略する。
【００１４】
図４は、プール床１を構成する床材１１の表面に長手方向に沿う目地状の溝１２を中央に形成すると共に、該溝１２と直交する目地状の溝１３を一定間隔で形成し、目地１２及び１３で囲まれる部分がプールを内張りするタイル（図示しない）と同じサイズとなるようにしてあり、その表面には図示していないが、ローレット加工が施されている。そして溝１２及び１３には、好ましくはプールに内張りされるタイルの目地と同様に着色、例えばタイルの目地が白色である場合、白色に着色されている。
【００１５】
図５は、図４に示す床材１１の断面を示すものである。
図６に示すプール床の床材１１は、溝１２の両側の溝１３を互い違いに形成したものである。
【００１６】
本実施形態のプール床によると、プール材表面に形成されるローレット加工や溝１２及び１３によって水中でプール床上を歩行したり、プール床に足を付けて泳ぎ出すときの滑り止めとなり、またプール床は目地状を呈する溝１２、１３によってプールに内張りされたタイルと調和し、違和感をなくすことができる。
【００１７】
図７に示す床材３１は、図４及び図５に示す床材１１において、床材全体を白色に形成すると共に、表面に別の色に着色した表層部３２を設け、溝１２と溝１３の底面に基層である床材１１の地肌が現れ、溝１２及び１３が白色の目地を呈するようになっている。この床材３１は、床材３１の押出成形時に表層部３２が溝１２の両側に積層されるように同時押出成形し、成形後、溝１３を研削することによって形成することができる。
【産業上の利用可能性】
【００１８】
本発明のプール床は、プール一般に用いることができるが、タイルで内張りされたプール床に最も好適に用いることができる。
【図面の簡単な説明】
【００１９】
【図１】プール床の平面図。
【図２】図１のａ部の拡大図。
【図３】図２のＡ−Ａ線断面図。
【図４】本発明に係るプール床の要部の平面図。
【図５】床材の線断面図。
【図６】プール床の別の態様を示す要部の平面図。
【図７】プール床の更に別の態様を示す要部の一部を切り欠いた要部の斜視図。
【符号の説明】
【００２０】
１・・プール床
２・・フレーム
３、１１、２１、３１・・床材
４・・縦リブ
５・・空気室
６・・室
８・・ボルト
９・・ナット
１２、１３・・目地
３２・・表層部
【図１】
2005273355.tif 000003
【図２】
2005273355.tif 000004
【図３】
2005273355.tif 000005
【図４】
2005273355.tif 000006
【図５】
2005273355.tif 000007
【図６】
2005273355.tif 000008
【図７】
2005273355.tif 000009